(57)【要約】【課題】  ブラシをコップに押し当て難い等、ハンドリングが悪いこと。【解決手段】  本体１を一方の手で握って、他方の手に握ったコップの中にブラシ５を差し込み、回転軸４の先端をコップの底に当てる。その状態で本体１を軸方向に押して移動体２を本体１内の後方に移動させ、回転軸４に設けたブラシ５を回転させる。本体１を押す力を緩めて後方に移動させるとコイルバネ３の弾性力により移動体２が本体１の内部で前方に押し出され、移動体２及び回転軸４が逆回転し、ブラシ５がコップ内で逆転する。この往復運動において、ブラシ５が正転及び逆転を繰り返し、ブラシ５のブラシ毛先端がコップの内面に移動しつつ一定の力で接触するので、コップの内面の汚れを落とすことができる。係る構成によれば、本体１を片手で持って所望の方向に力を入れながらブラシ５を回転させることができる。【選択図】  図１
2020049443.tif 000002
【特許請求の範囲】
【請求項１】
中空筒状で且つ外周面が把持部となる本体と、
当該本体内を軸方向に移動する移動体と、
前記本体の軸方向に形成した螺旋部と当該螺旋部に係合して当該螺旋部をトレースする係合部とからなる運動変換手段と、
前記本体と前記移動体との間に配置され且つ前記移動体の移動方向に対して付勢するコイルバネと、
前記移動体に設けられ且つ前記本体から突出した回転軸と、
当該回転軸に設けたブラシと、
を備えたことを特徴とするハンドブラシ。
【請求項２】
前記回転軸の先端は、略半球形状であることを特徴とする請求項１に記載のハンドブラシ。
【請求項３】
前記ブラシは、弾性体からなる筒状本体と、隙間をあけて設けられ且つ弾性体からなる多数の紐状ブラシと、からなることを特徴とする請求項１または２に記載のハンドブラシ。
【発明の詳細な説明】
【技術分野】
【０００１】
本発明は、コップ等の食器や機械製品や工具の洗浄や研磨・研削に使用するハンドブラシに関するものである。
【背景技術】
【０００２】
従来から特許文献１に記載されているような回転工具が知られている。この回転工具は、支持体の前後で回転軸を支持し、この回転軸に螺旋溝を設けると共に螺旋溝により前後進退する滑動筒を有する。滑動筒にはレバーが設けられると共にその後部にはバネが設けられる。前記支持体には、グリップが設けられる。また、前記回転軸の先端部にはブラシ等が設けられる。
【０００３】
この回転工具は、グリップを握ってレバーを引くことで滑動筒が後方に移動し、この滑動筒の移動に伴い回転軸が回転する。これにより先端のブラシ等が回転するので、コップ洗い等に使用できる。
【先行技術文献】
【特許文献】
【０００４】
【特許文献１】実開Ｓ５６−３８７８４号公報
【発明の概要】
【発明が解決しようとする課題】
【０００５】
上記従来の回転工具では、グリップを握りつつレバーを引くことで回転軸を回転させるため、先端のブラシをコップに押し当て難い等、ハンドリングが悪いという問題点があった。本発明は、かかる問題点を解決するためになされたものである。
【課題を解決するための手段】
【０００６】
本発明に係るハンドブラシは、中空筒状で且つ外周面が把持部となる本体と、当該本体内を軸方向に移動する移動体と、前記本体の軸方向に形成した螺旋部と当該螺旋部に係合して当該螺旋部をトレースする係合部とからなる運動変換手段と、前記本体と前記移動体との間に配置され且つ前記移動体の移動方向に対して付勢するコイルバネと、前記移動体に設けられ且つ前記本体から突出した回転軸と、当該回転軸に設けたブラシと、を備えたことを特徴とするハンドブラシ。
【０００７】
前記回転軸の先端は、略半球形状とするのが好ましい。また、前記ブラシは、弾性体からなる筒状本体と、隙間をあけて設けられ且つ弾性体からなる多数の紐状ブラシと、からなる構成とするのが好ましい。
【図面の簡単な説明】
【０００８】
【図１】本発明の実施の形態１にかかるハンドブラシを示す説明図である。
【図２】図１に示したハンドブラシの正面図である。
【図３】移動体が移動した状態を示す説明図である。
【図４】コップを洗浄する場合の例を示す説明図である。
【図５】回転軸の先端部分の変形例を示す説明図である。
【図６】コップを洗浄する場合の別の例を示す説明図である。
【図７】本発明の実施の形態２に係るハンドブラシを示す説明図である。
【図８】図７に示したハンドブラシの正面図である。
【図９】このハンドブラシの使用状態を示す説明図である。
【図１０】このハンドブラシの別の使用状態を示す説明図である。
【図１１】実施の形態１及び２に係るハンドブラシの変形例を示す一部構成図である。
【発明を実施するための形態】
【０００９】
（実施の形態１）
図１は、本発明の実施の形態１にかかるハンドブラシを示す説明図である。図２は、図１に示したハンドブラシの正面図である。このハンドブラシ１００は、有底で中空筒状の本体１と、本体１の軸方向内部に配置された円柱形状の移動体２と、移動体２と本体１との間に配置したコイルバネ３と、前記移動体２と同軸に設けた回転軸４と、回転軸４に設けたブラシ５とから構成される。
【００１０】
本体１は、樹脂製の中空筒状体であり外周面が把持部１ａとなる。移動体２には、螺旋状の溝７（螺旋部）が設けられる。本体１の側面にはピン８（係合部）が設けられ、前記ピン８の先端は摺動容易な球形状になっており、前記溝７に入って係合する。溝７とピン８とにより直線運動を回転運動に変換する運動変換手段を構成する。前記コイルバネ３は、先端が前記移動体２の後端に固定され且つその後端が本体１の底部に固定され、移動体２を移動方向前方に付勢する。前記回転軸４は、本体１から突出し、当該本体１の先端に設けた軸受部１ｂで軸支される。
【００１１】
また、回転軸４の先端は、洗浄対象に押し付けた状態で回転軸４が回転しやすいように半球形状とする。また、図５に示すように、回転軸４の先端に洗浄対象に対して摩擦力で押し当て可能で且つ前記回転軸４を回転自在に軸支可能な足部２０を設けても良い。この場合、洗浄対象に対して足部２０を押し付けることで回転軸４がブラシ５と共に容易に回転する。ブラシ５は、略円錐台形状のスポンジやブラシ毛を回転軸４に植毛した構造である。
【００１２】
図３は、移動体が移動した状態を示す説明図である。本体１を把持し、前記回転軸４の先端を洗浄対象に押し付ける。この状態で本体１を軸方向に押すと、移動体２が本体１の後方に移動すると共に、この移動に伴い前記ピン８が溝７をトレースするようになり移動体２が回転する。これにより回転軸４及びその先端のブラシ５が回転する。移動体２は、コイルバネ３により一定の力で前方に付勢されているので、押すのをやめるとコイルバネ３の弾性力により移動体２が前方に戻り、その際に、前記同様、移動体２と共に前記回転軸４及びブラシ５が逆方向に回転する。
【００１３】
このように洗浄対象に回転軸４の先端を押し付けて本体１を前後に往復運動させることでブラシ５が正逆転する。この回転動作は片手で行うことができる。また、本体１が筒状体の把持しやすい構造であることから、洗浄の際に力を入れて作業できる。
【００１４】
図４は、コップを洗浄する場合の例を示す説明図である。本体１を一方の手で握って、他方の手に握ったコップＣの中にブラシ５を差し込み、回転軸４の先端をコップＣの底に当てる。その状態で本体１を軸方向に押して移動体２を本体１内の後方に移動させ、回転軸４に設けたブラシ５を回転させる。
【００１５】
本体１を押す力を緩めて後方に移動させるとコイルバネ３の弾性力により移動体２が本体１の内部で前方に押し出され、移動体２及び回転軸４が逆回転し、ブラシ５がコップＣ内で逆転する。この往復運動において、ブラシ５が正転及び逆転を繰り返し、ブラシ５のブラシ毛先端がコップＣの内面に移動しつつ一定の力で接触するので、コップＣの内面の汚れを落とすことができる。また、前記回転軸４は先端が半球体になっているため、コップＣの底に対して点接触する。このため、ブラシ５をコップＣに押し付けながらでも簡単に回転する。なお、図６に示すように、ブラシ５の径がコップＣの径より大きい場合を記載しているが、ブラシ５の径がコップＣの径より小さい場合でも、コップＣの内面の一部に対してブラシ５を押し付けられる状態で位置決めし、その状態で本体１を前後に移動することでブラシ５を回転させ、洗浄を行うことができる。
【００１６】
以上、本発明に係るハンドブラシ１００によれば、本体１を片手で持って所望の方向に力を入れながらブラシ５を回転させることができる。また、回転軸４の先端が洗浄対象に対して点接触するように構成されているので、ブラシ５の回転がスムーズである。なお、上記例では、洗浄対象としてコップＣを例示したが、これに限定されない。例えば、工作機械、内燃機関、機械構造物等でもよい。また、洗浄以外の使用にも適している。前記ブラシ５のブラシ毛に研削または研磨用のものを用いることで、機械加工のワークのバリ取りに適したものとなる。
【００１７】
（実施の形態２）
図７は、本発明の実施の形態２に係るハンドブラシを示す説明図である。図８は、図７に示したハンドブラシの正面図である。このハンドブラシ２００は、実施の形態１に係るハンドブラシ１００と略同一の構成であるが、回転軸４のブラシ２０５の形状が異なる。以下、略同一の構成については説明を省略すると共に同一構成要素には同一符号を付する。
【００１８】
このハンドブラシ２００のブラシ２０５は、スポンジの中実体である円筒本体２０１の外周面に多数の紐状ブラシ２０２を設けた構成である。紐状ブラシ２０２はスポンジ製であり通常の姿態では円筒本体２０１の径方向に向かって延出する。また、紐状ブラシ２０２と紐状ブラシ２０２との間に適度な隙間が生じるように配置するのが好ましい。円筒本体２０１をスポンジの中実体とし、その周囲に隙間をあけて紐状ブラシ２０２を植設することで、紐状ブラシ２０２が容易に変形して洗浄対象に対して弱めに接すると共に、円筒本体２０１まで変形する場合には中実体であるスポンジを変形させることからその反発力をもって洗浄対象に強く接するようになる。即ち、ブラシ２０５は、洗浄対象に対する押し付け力により強く接する場合と弱く接する場合が変化する。
【００１９】
図９は、このハンドブラシの使用状態を示す説明図である。このハンドブラシ２００により、断面が台形（そこが広い形状）となるコップＣを洗浄するものとする。本体１を一方の手で握って、他方の手に握ったコップＣの中にブラシ２０５を差し込み、回転軸４の先端をコップＣの底に当てる。その状態で本体１を軸方向に押して移動体２を本体１内の後方に移動させ、回転軸４に設けたブラシ２０５を回転させる。紐状ブラシ２０２は、隣接する紐状ブラシ２０２との間に隙間をもって配置されているので、コップＣの形状に合わせて無理なく変形する。具体的には、コップＣの径が狭いところで紐状ブラシ２０２が大きく変形し、その形状に無理なくフィットする。このため、回転時に無理な力をかけなくてもブラシ２０５をスムーズに回転させることができる。そして、この回転動作により紐状ブラシ２０２がコップＣの内面に接触し、内部の汚れを落とす。
【００２０】
本体１を押す力を緩めて後方に移動させるとコイルバネ３の弾性力により移動体２が本体１の内部で前方に押され、移動体２及び回転軸４が逆回転し、ブラシ２０５がコップＣ内で逆転する。この場合も、紐状ブラシ２０２が無理なく変形することから、コイルバネ３の弾性力で十分にブラシ２０５が回転する。この逆転動作においても紐状ブラシ２０２がコップＣの内面に接触し、内部の汚れを落とす。このような往復運動によりブラシ２０５が正転及び逆転を繰り返し、洗浄を行う。
【００２１】
図１０は、このハンドブラシの別の使用状態を示す説明図である。同図に示すように、有底の円筒状であって中央にくびれを有する瓶を洗浄する場合、当該くびれ部分において紐状ブラシ２０２が無理なく変形し、内部の形状にフィットする。更に、円筒本体１もスポンジで成形されているので、くびれ部分が狭くても円筒本体１の変形により対応できる。また、円筒本体１の変形により反発力が高まり、当該部分での汚れを落としやすくなる。
【００２２】
図１１は、上記実施の形態１及び２に係るハンドブラシの変形例を示す一部構成図である。同図に示すように、移動体２の本体１内での移動をロックするロック機構を設けても良い。例えば、当該ロック機構は、本体１の外周面に設けた弾性変形可能な片持ちの押しボタン２０と、押しボタン２０の下部に設けたピン２１と、移動体２に設けたロック穴２２とから構成される。ユーザが本体１を把持して指で押しボタン２０を押すと、ピン２１がロック穴２２に入って移動体２の回転及び移動が固定される。この状態でブラシ５を用いて洗浄を行う。係る構成によれば、ブラシ５を回転させて洗浄することもできるうえ、必要に応じてブラシ５を固定して洗浄を行うこともできるので、大変使い勝手が良いものとなる。
【００２３】
なお、上記実施の形態１及び２では、洗浄対象に断面が円形の筒状体を想定して説明したが、断面が楕円形や多角形状であっても良い。
【符号の説明】
【００２４】
１００  ハンドブラシ
１  本体
２  移動体
３  コイルバネ
４  回転軸
５  ブラシ
７  溝
８  ピン
【図１】
2020049443.tif 000003
【図２】
2020049443.tif 000004
【図３】
2020049443.tif 000005
【図４】
2020049443.tif 000006
【図５】
2020049443.tif 000007
【図６】
2020049443.tif 000008
【図７】
2020049443.tif 000009
【図８】
2020049443.tif 000010
【図９】
2020049443.tif 000011
【図１０】
2020049443.tif 000012
【図１１】
2020049443.tif 000013